(57)【要約】【課題】揚上装置を遊戯島に組み込んだ状態のままで搬送ベルトの蛇行を矯正できるパチンコ玉揚上装置を提供する。【解決手段】フレームを従動プーリ３とテンションプーリを保持するアッパーフレーム１Ｂと駆動プーリ２を支持するボトムフレーム１Ａとに分割して、そのアッパーフレームをその下端部中央においてボトムフレームに設けた支軸１６周りに回動可能に支持し、アッパーフレームをボトムフレームに調整ボルト２６により連結し、調整ボルトを操作してアッパーフレームのボトムフレームに対する支持角度を調整可能とした。支持角度の変更により搬送ベルトの蛇行が矯正される。【選択図】　　　図３
2004073380.tif 000002
【特許請求の範囲】
【請求項１】
フレームの下部と上部に設けられた駆動プーリと従動プーリに無端ベルトからなる搬送ベルトを中間のテンションプーリを介して巻回張設するとともに、前記フレームの下部に前記駆動プーリを回転させるモータを取付け、さらに、前記フレームに前記搬送ベルトの上昇面側に研磨布を近接して保持する扉を備えて、回収用搬送装置により回収位置まで搬送されてきたパチンコ玉を回転される前記搬送ベルトと前記研磨布とによって磨きながら揚上し、前記搬送ベルトの上端部から排出するパチンコ玉揚上装置において、
前記フレームを前記従動プーリと前記テンションプーリを保持するアッパーフレームと前記駆動プーリを支持するボトムフレームとに分割して、そのアッパーフレームをその下端部中央において前記ボトムフレームに設けた支軸周りに回動可能に支持し、前記アッパーフレームを前記ボトムフレームに調整ボルトにより連結し、前記調整ボルトを操作して前記アッパーフレームの前記ボトムフレームに対する支持角度を調整可能としたことを特徴とするパチンコ玉揚上装置。
【発明の詳細な説明】
【０００１】
【発明の属する技術分野】
本発明は、無端ベルトからなる搬送ベルトを用いるパチンコ玉揚上装置（以下、単に揚上装置という。）に関する。
【０００２】
【従来の技術】
一般に、揚上装置は、遊技機から外れ玉として排除され、回収用搬送装置により回収位置まで搬送されてきたパチンコ玉を回転される搬送ベルトと固定された研磨布により磨きながらリサイクル補給用の上部タンクまで揚送するために用いられるが、高さが２〜３ｍ程度のフレームの上下に設けられた駆動プーリと従動プーリに無端ベルトからなる前記搬送ベルトを巻回し、中間のテンションプーリにより前記搬送ベルトを張設し、フレームの下部に、前記駆動プーリに回転力を与えるためのモータを取付け、さらに、フレームには、搬送ベルトの上昇面側に研磨布を保持し、かつ、その研磨布にパチンコ玉を一列ずつ案内するための溝を形成するレール体を取付けた扉を、研磨布の交換のために開閉自在に取付けて、構成されている。
【０００３】
ところで、搬送ベルトは、駆動プーリ、従動プーリ、及びテンションプーリに巻回されるため、揚上装置の組付け時又はメンテナンス時などに、各プーリの支軸が完全に平行でないため、あるいは、搬送ベルトに製作誤差があるためなどの理由で、揚上装置の運転中に搬送ベルトが蛇行する場合がある。この蛇行を放置すると、研磨布の玉案内溝に沿って転動して揚上されるパンチコ玉が搬送ベルトの蛇行によりその玉案内溝から脱出して、隣の玉案内溝を揚上されるパンチコ玉に衝突したり、あるいはレール体から外側に脱出したりして、最終的にはパンチコ玉の揚上装置内でのジャム又は扉の損傷などを起こす原因となるので、搬送ベルトが蛇行する場合は、これを解消しなければならない。
【０００４】
【発明が解決しようとする課題】
しかし、従来の揚上装置は、テンションプーリの取付位置を調整することにより、搬送ベルトの蛇行を矯正することが可能とされているが、フレームは揚上装置を遊戯島に組み込んだ状態のままで調整作業ができるようには構成されていないため、搬送ベルトの蛇行を矯正するためには、揚上装置を遊戯島から取外す必要があった。そのため、調整作業ができる時間は営業終了後などに制限されるか、場合によっては営業を中止しなればならない事態となった。
【０００５】
本発明は、上記の点に鑑みてなされたものであり、その課題は、揚上装置を遊戯島に組み込んだ状態のままで搬送ベルトの蛇行を矯正するための調整作業ができるパチンコ玉揚上装置を提供することにある。
【０００６】
【課題を解決するための手段】
本発明は、フレームの下部と上部に設けられた駆動プーリと従動プーリに無端ベルトからなる搬送ベルトを中間のテンションプーリを介して巻回張設するとともに、前記フレームの下部に前記駆動プーリを回転させるモータを取付け、さらに、前記フレームに前記搬送ベルトの上昇面側に研磨布を近接して保持する扉を備えて、回収用搬送装置により回収位置まで搬送されてきたパチンコ玉を回転される前記搬送ベルトと前記研磨布とによって磨きながら揚上し、前記搬送ベルトの上端部から排出するパチンコ玉揚上装置において、前記フレームを前記従動プーリと前記テンションプーリを保持するアッパーフレームと前記駆動プーリを支持するボトムフレームとに分割して、そのアッパーフレームをその下端部中央において前記ボトムフレームに設けた支軸周りに回動可能に支持し、前記アッパーフレームを前記ボトムフレームに調整ボルトにより連結し、前記調整ボルトを操作して前記アッパーフレームの前記ボトムフレームに対する支持角度を調整可能としたことことにより、上記課題を解決するものである。
上記の構成により、搬送ベルトに蛇行が生じた場合は、調整ボルトを操作して、アッパーフレームのボトムフレームに対する角度調整をすることにより、駆動プーリ、従動プーリ及びテンションプーリの各支軸の軸線の平行状態が矯正されて、これらに巻回されている搬送ベルトの蛇行が解消される。
【０００７】
【発明の実施の形態】
次に、本発明の実施の形態について、添付図面を参照して説明する。
図１は本発明に係る揚上装置の正面図、図２は同じく側面図、図３は要部を一部を破断して示す正面図、図４はボトムフレームの要部の正面図、図５はアッパーフレームの要部の正面図である。
【０００８】
図１，２において、Ａは揚上装置であり、フレーム１の下部に設けられた駆動プーリ２とフレーム１の上部に設けられた従動プーリ３の間に中間のテンションプーリ４ａ〜４ｃを介して無端ベルトからなる搬送ベルト５を巻回して張設し、駆動プーリ２の軸上に固着したプーリ６と、フレーム１の下部に設けられたモータ７の回転軸上に固着したプーリ８の間に伝動ベルト９を巻回して、駆動プーリ２に回転力を与えるための駆動手段を備え、フレーム１の正面側、すなわち、搬送ベルト５の上昇面側に研磨布（不図示）を保持し、かつ、その研磨布にパチンコ玉を一列ずつ案内するための溝を形成するレール体（不図示）を取付けた扉１０を開閉自在に取付けて構成されており、フレーム１の下部には、各遊戯台の下方を回収用搬送装置により搬送されてくるパチンコ玉を受入れて、回転される搬送ベルトの下端部と研磨布の間に流し込む回収箱１１が設けられ、また、フレーム１の上部には、回転される搬送ベルトの上端部と研磨布との間から排出されるパチンコ玉を上部タンク（不図示）に向けて放出するシュート１２が設けられている。
【０００９】
本発明においては、上記構成において、フレーム１は、図３ないし図５に示すように、ボトムフレーム１Ａとアッパーフレーム１Ｂとに分割されている。ボトムフレーム１Ａは図４によく示されているように、揚上装置Ａの基礎となる基板１３から起立された単一又は複数の縦フレーム部材１４を有し、その縦フレーム部材の下部に固着された軸受１５により下部プーリ２の支軸２ａが回転自在に支持され、また、ボトムフレーム１Ａの上端部にモータ７が取付けられている。図４において、６は支軸２ａに固着されたプーリ、８はモータの回転軸に固着されたプーリである。
【００１０】
ボトムフレーム１Ａの縦フレーム部材１４には、下部プーリ２よりも若干上側において縦フレーム部材１４の幅方向ほぼ中央に、支軸１６がその軸線を搬送ベルト５の面に対して直交する方向に向けて固定されている。この支軸１６は断面円形であることが好ましい。
【００１１】
そして、縦フレーム部材１４には、少なくとも上部に左右一対の長孔１７ａが、好ましくは図示の例のように、縦フレーム部材１４の上端部付近と支軸１６とほぼ等しい高さとの、縦フレーム部材１４の支軸１６を通る垂直線に関して左右対称の位置に、支軸１６を中心とする円弧状の長孔１７ａ，１７ｂが設けられている。また、上側の長孔１７ａの中間に縦フレーム部材１４から正面方向に突出するコ字形のボルト受け部材１８が設けられている。ボルト受け部材１８の左右の垂直部には、ボルトをねじ込むためのねじ孔１９が設けられている。ボルト受け部材１８の形状はとくに限定されるものではない。左右二つの垂直部材を用いてもよい。
【００１２】
他方、アッパーフレーム１Ｂは、その下端部を除く部分は、従来のフレームの下部と同一の形状を有している。しかし、下端部は、図５に示すように、所要の強度を備えるための補強板２０を有し、その補強板の中央部を下方開口の半円状に加工して、嵌合部２１が形成されている。この嵌合部の内径は、ボトムフレーム１Ａの支軸１６の径とほぼ等しいか、若干大きめにされている。従って、アッパーフレーム１Ｂは、その嵌合部２１にボトムフレーム１Ａの支軸１６を嵌合することにより、支軸１６を支点として、アッパーフレーム１Ｂの上部が左右方向に揺動可能に支持される。
【００１３】
さらに、アッパーフレーム１Ｂの下部には左右に突出する固定板２２が取付けられ、その固定板２２の上下に、ボトムフレーム１Ａの上下２対の長孔１７ａ，１７ｂに対応する位置に、ボルト挿通孔２３，２４が設けられている。また、アッパーフレーム１Ｂの側面壁部には、アッパーフレーム１Ｂの下端部から所定の高さの前記ボトムフレーム１Ａのボルト受け部材１８のねじ孔１９に対応する位置において、調整ボルト２６（図３参照）を挿通するための孔２５が開けられている。この孔は、挿通された調整ボルト２６の軸部がその孔の中で回動できる程度に若干大きめに形成されている。
【００１４】
上記構成により、本発明による揚上装置は、組み付けを次のようにして行う。すなわち、まず、図３に示すように、アッパーフレーム１Ｂの下端部をボトムフレーム１Ａの縦フレーム部材１４の正面又は背面側に接近させ、嵌合部２１に支軸１６を嵌合させて支持する。そして、遮閉板２７を取り外して図３の左側面を開放し、上部プーリ３に巻回されている搬送ベルト５の下端部を下部プーリ２に巻回した後、遮閉板２７を再び取り付ける。次に、固定板２２の各孔２３，２４を縦フレーム部材１４の孔１７ａ，１７ｂと合致させ、それらの孔に取付ボルト２８を挿通するとともに、各取付ボルトの先端にナット（不図示）を緩く締め付け、その状態でアッパーフレーム１Ｂの側面壁の孔２５から調整ボルト２６をボトムフレーム１Ａのボルト受け部材８のねじ孔１９にねじ込む。この時、モータ７を起動して搬送ベルト５を回転し、搬送ベルト５が上下のプーリ２，３間で蛇行しないか否かを目視確認する。蛇行がない場合は、各取付ボルト２８を完全に締付けると、揚上装置の組み付けが完了である。
【００１５】
これに対し、搬送ベルト５が蛇行する場合は、調整ボルト２６を左方向又は右方向に締めると、アッパーフレーム１Ｂが支軸１６を支点として図３に示す一定の角度範囲θで左方向又は右方向に回動するので、搬送ベルトの蛇行を解消することができる。そして、蛇行がなくなったら、取付ボルト２８を完全に締めることにより、搬送ベルトの蛇行のない揚上装置とすることができる。
【００１６】
上記は、揚上装置の組み付け時の蛇行解消について説明したが、揚上装置の稼働中に搬送ベルトの蛇行が、例えば蛇行検知センサにより検知されて警報装置が作動された場合などに、取付ボルトを少し緩め、調整ボルトを操作することにより、搬送ベルトの蛇行を解消又は矯正することができる。従って、従来と異なり、揚上装置の稼働を停止したり、揚上装置を取外したりする必要がなく、遊戯島に組み込んだ状態のままで搬送ベルトの蛇行を矯正又は解消することができるので、揚上装置の搬送ベルトの蛇行を原因とする遊戯島の稼働率の低下を防止することができる。
【００１７】
アッパーフレーム１Ｂをボトムフレーム１Ａに対して回動自在に支持する構造は、上記の支軸１６と嵌合部２１を設ける位置を逆に、すなわち、支軸１６をアッパーフレーム１Ｂに、嵌合部２１をボトムフレーム１Ａに設ける場合も同一の作用効果が得られることは、多言を要しない。また、アッパーフレーム１Ｂの支持角度の調整をするための手段は、図示の調整ボルト２６及びこれを受ける受け部材１８に限らない。
【００１８】
【発明の効果】
上述したように、本発明によれば、揚上装置を遊戯島に組み込んだ状態のままで搬送ベルトの蛇行を矯正又は解消することができる。
【図面の簡単な説明】
【図１】本発明に係る揚上装置の正面図。
【図２】同じく側面図。
【図３】要部を一部を破断して示す正面図。
【図４】ボトムフレームの要部のみを示す正面図。
【図５】アッパーフレームの要部のみを示す正面図。
【符号の説明】
Ａ　　揚上装置
１　　フレーム
２　　下部プーリ
３　　上部プーリ
５　　搬送ベルト
７　　モータ
１Ｂ　　　アッパーフレーム
２１　　嵌合部
２３，２４　取付ボルト挿通孔
２５　　　　調整ボルト挿通孔
１Ａ　　　ボトムフレーム
１６　　　　支軸
１７ａ，１７ｂ　　　取付ボルト挿通孔
１８　　　　ボルト受け部材
１９　　　　調整ボルトねじ込み孔
【図１】
2004073380.tif 000003
【図２】
2004073380.tif 000004
【図３】
2004073380.tif 000005
【図４】
2004073380.tif 000006
【図５】
2004073380.tif 000007